(57)【特許請求の範囲】
【請求項１】
上方に開口部を有し、内部に携帯物品を収容する容器本体と、該容器本体の背面に左右方向にベルトが挿通できるベルト通し部を構成する取付帯と、前記容器本体の背面部に一端が固定され、先端側が前記開口部の上方をまたいで前記容器本体の前面部に脱着具を介して垂直方向に着脱自在に止められる蓋とを備えてなる携帯物品ホルダーにおいて、
前記取付帯は、下端側を前記容器本体の背面部に固着されるとともに、上端側を前記容器本体の背面部に脱着具を介して垂直方向に着脱自在に止められ、該脱着具に対して下方の位置で前記容器本体の背面部に左右両端を固着された帯状の帯止の内側に挿通されたことを特徴としてなる携帯物品ホルダー。
【請求項２】
取付帯の上端に帯状の蓋を連続して設けてなる請求項１に記載の携帯物品ホルダー。
【発明の詳細な説明】
【０００１】
【産業上の利用分野】
本発明は、携帯電話等の携帯物品を収容し、衣服の腰のベルトなどに対して容易に取付け、取外しを行うことができる携帯物品ホルダーに関する。
【０００２】
【従来の技術】
従来の携帯物品ホルダー（携帯電話ホルダー）は、例えば図５に示すように、前面部２、側面部３，３、底面部４及び背面部６からなり、上方に開口部を有する箱形の容器本体を備えており、帯状の蓋１の一端が背面部６に固着され、先端側が開口部の上方をまたいで前面部２に脱着具を介して着脱自在に止められている。
【０００３】
また、容器本体の背面部６には、取付帯９の上下両端が固着されており、背面部６と取付帯９との間にはベルト通し部３０が左右方向に形成されている。そして、このベルト通し部３０に衣服等のベルト４０を挿通することによって、ベルト４０に取り付けられるようになっている。
【０００４】
【発明が解決しようとする課題】
従来の携帯物品ホルダーは、取付帯９の上下両端が容器本体の背面部６に固着されているため、衣服等のベルト４０に対する取付け、取外しに際しては、ベルト４０を衣服等から外してベルト通し部３０に通す必要があり、ベルト４０を着用したままでは取付け、取外しができず不便であるという問題があった。
【０００５】
本発明は、このような従来の問題に鑑み、ベルトを着用したままでも容易に取付け、取外しを行うことができる携帯物品ホルダーの提供を目的としたものである。
【０００６】
【課題を解決するための手段】
上述の如き従来の目的を解決し、所期の目的を達成するための本発明の特徴は、上方に開口部を有し、内部に携帯物品を収容する容器本体と、該容器本体の背面に左右方向にベルトが挿通できるベルト通し部を構成する取付帯と、前記容器本体の背面部に一端が固定され、先端側が前記開口部の上方をまたいで前記容器本体の前面部に脱着具を介して垂直方向に着脱自在に止められる蓋とを備えてなる携帯物品ホルダーにおいて、前記取付帯は、下端側を前記容器本体の背面部に固着されるとともに、上端側を前記容器本体の背面部に脱着具を介して垂直方向に着脱自在に止められ、該脱着具に対して下方の位置で前記容器本体の背面部に左右両端を固着された帯状の帯止の内側に挿通されたことにある。
【０００７】
なお、取付帯の上端に帯状の蓋を連続して設けることがより好ましい。
【０００８】
【作用】
本発明においては、容器本体の背面部に、取付帯の下端側を固着し、上端側を脱着具を介して着脱自在に止めることによって、取付帯の上端側を容器本体の背面部に止めると、取付帯と背面部との間にベルト通し部が形成され、このベルト通し部に衣服などのベルトを挿通すると容器本体がベルトに取り付けられる。一方、取付帯の上端側を容器本体の背面部から外すと、ベルト通し部が消滅し、取付帯の上端側が開放されて、ベルトの裏側に抜き差しすることが可能となる。
【０００９】
そして、脱着具に対して下方の位置で容器本体の背面部に左右両端を固着された帯状の帯止の内側に、取付帯を挿通することによって、ベルト通し部に挿通されたベルトを介して取付帯が引張られても、垂直方向の引張力は取付帯の下端側と帯止にのみ掛かり、取付帯の上端側は背面部から外れず、ベルト通し部が保持される。
【００１０】
また、取付帯の上端に帯状の蓋を連続させることによって、取付帯の上端側が容器本体の背面部から外れても、蓋の先端側が容器本体の前面部から外れない限り、ベルト通し部が保持される。
【００１１】
【実施例】
次に本発明の実施例を図１〜図４について説明する。
【００１２】
図において、１２は前面部、１３，１３は側面部、１４は底面部、１６は背面部であり、これらは図１，図２に示すように、上方に開口部を有する箱形の容器本体を構成している。なお、容器本体は革等の可撓性を有する材料により形成されており、前面部１２、底面部１４及び背面部１６は一体的に形成されている。また、底面部１４には、指の太さ程度の大きさの押出用孔１５が開けられている。
【００１３】
そして、容器本体の背面部１６の下部には、図３に示すように、取付帯１８の下端側が固着されている。取付帯１８は、帯状の蓋１１と一体的に形成されており、取付帯１８の上端に蓋１１の後端が連続している。なお、蓋１１及び取付帯１８は革等の可撓性を有する材料により形成されている。
【００１４】
取付帯１８と蓋１１との境界部（取付帯１８の上端および蓋１１の後端）と、容器本体の背面部１６の上部には、図３、図４に示すように、一対の脱着具（スナップ）２７ａ，２７ｂがそれぞれ固着されており、取付帯１８の上端側は背面部１６に対して、垂直方向（前後方向）へは着脱自在に固定され、平行方向（上下左右方向）へは完全に固定されるように、止められている。
【００１５】
また、蓋１１の先端側と、容器本体の前面部１２の上部には、図１、図２に示すように、一対の脱着具（面ファスナー）２１ａ，２１ｂがそれぞれ固着されており、蓋１１の先端側は、容器本体の開口部の上方をまたいで、前面部１２に対して、垂直方向へは着脱自在に固定され、平行方向へは完全に固定されるように、止められている。
【００１６】
これらの脱着具２７ａ，２７ｂ，２１ａ，２１ｂは、固着面（背面部１６、前面部１２）に対して垂直方向へは、押圧、引張りにより着脱自在に固定し、平行方向へは完全に固定するものであり、例えばスナップ（押しホック）、面ファスナー等である。
【００１７】
なお、スナップは、凹形部材と凸形部材とからなり、凹形部材内のバネが凸形部材の凸形部を挾み込むようにして、これらの部材が固着面に対して相互に垂直方向にのみ着脱自在なように構成されている。また、面ファスナーは、鉤状繊維部材とパイル（ループ）状繊維部材とからなり、これらの多数の鉤状繊維とパイル状繊維が絡み合うようにして、これらの部材が固着面に対して相互に垂直方向にのみ着脱自在なように構成されている。
【００１８】
更に、図３、図４に示すように、容器本体の背面部１６の脱着具２７ｂの下方の位置には、帯状の帯止１７の左右両端が固着されている。なお、帯止１７は革等の可撓性を有する材料により形成されている。そして取付帯１８は、この帯止１７の内側（背面部１６との間）に上下へ挿通されており、ベルト通し部３０は、帯止１７と取付帯１８の下端との間であって、取付帯１８と背面部１６との間に、左右方向に形成されている。
【００１９】
このように構成される携帯物品ホルダーは、図３に示すように、背面部１６側のベルト通し部３０に衣服などのベルト４０を挿通することによって、容器本体をベルト４０に取り付けることができる。
【００２０】
一方、ベルト４０に取り付けた状態で容器本体を引張ると、取付帯１８がベルト４０を介して反対側へ引張られるが、背面部１６に対して垂直方向の引張力は、ベルト通し部３０の上下の帯止１７と取付帯１８の下端側に掛かり、取付帯１８の上端側には垂直方向への引張力は掛からない。
【００２１】
従って、脱着具２７ａ，２７ｂが外れて取付帯１８が容器本体から外れるようなことはなく、ベルト通し部３０が保持されるので、不用意に容器本体がベルト４０から脱落することを防止できる。
【００２２】
また、仮に脱着具２７ａ，２７ｂが外れていたような場合であっても、取付帯１８と一体となった蓋１１の先端側が脱着具２１ａ，２１ｂを介して容器本体の前面部１２に止められていれば、ベルト通し部３０は保持されるので、容器本体がベルト４０から脱落することはない。
【００２３】
そして、図１、図２に示すように、脱着具２１ａ，２１ｂを着脱することによって、蓋１１を開閉して、容器本体に上方の開口部から携帯電話等を出入れすることができる。また、容器本体から携帯電話等を取り出す際には、底面部１４の押出用孔１５に指を押し込むと、携帯電話等が上方の開口部から押し出されるので、容易に取り出すことかできる。
【００２４】
また、携帯物品ホルダーのベルト４０に対する取付け、取外しに際しては、蓋１１の先端側を垂直方向に引張って脱着具２１ａ，２１ｂを外し、取付帯１８の上端側を垂直方向へ引張って脱着具２７ａ，２７ｂを外し、更に蓋１１及び取付帯１８の上端側を帯止１７の内側から下方へ引き出すと、図４に示すように、蓋１１及び取付帯１８の上端側が開放され、ベルト通し部３０が消滅する。
【００２５】
従って、蓋１１及び取付帯１８の上端側を、ベルト４０の裏側（衣服との間など）に抜き差しすることができ、ベルト４０に対する取付け、取外しをベルト４０を着用したまま簡単に行うことができる。
【００２６】
【発明の効果】
上述のように、本発明に係る携帯物品ホルダーは、容器本体の背面部に、取付帯の下端側を固着し、上端側を脱着具を介して垂直方向へ着脱自在に止め、脱着具に対して下方の位置で容器本体の背面部に左右両端を固着された帯状の帯止の内側に取付帯を挿通することによって、衣服等のベルトに対する取付け、取外しをベルトを着用したままで簡単に行うことができると共に、不用意にベルトから脱落することを防止できる。
【００２７】
また、取付帯の上端に帯状の蓋を連続させることによって、不用意にベルトから脱落することを一層好適に防止できる。
【図面の簡単な説明】
【図１】本発明に係る携帯物品ホルダーの一実施例を示す前面側斜視図である。
【図２】図１の実施例において蓋を開けた状態を示す前面側斜視図である。
【図３】図１の実施例において蓋を開けた状態を示す背面側斜視図である。
【図４】図１の実施例において蓋及び取付帯を外した状態を示す背面側斜視図である。
【図５】従来の携帯物品ホルダーの一例を示す背面側斜視図である。
【符号の説明】
１１  蓋
１２  前面部（容器本体）
１３  側面部（容器本体）
１４  底面部（容器本体）
１５  押出用孔
１６  背面部（容器本体）
１７  帯止
１８  取付帯
２１ａ，２１ｂ  脱着具（面ファスナー）
２７ａ，２７ｂ  脱着具（スナップ）
３０  ベルト通し部
４０  ベルト
【図１】
0003682662.tif 000002
【図２】
0003682662.tif 000003
【図３】
0003682662.tif 000004
【図４】
0003682662.tif 000005
【図５】
0003682662.tif 000006